(57)【要約】      （修正有）【課題】回路パターン検査装置における検査基板を載置するステージ載置面に形成した窪み部分による検査基板との非密着の面積又は容量結合の変化に伴う検出信号の急峻な変化に伴う回路パターンの断線又は短絡の誤判定を防止する。【解決手段】回路パターン検査装置は、検査用センサ電極を回路パターンに非接触で電気的な容量結合を行い、検出信号により複数の回路パターンの良否判定を行う検査装置であり、回路パターンが形成された検査基板を載置するステージ載置面に形成された溝や穴が各回路パターンに対して同じ結合容量となるように配置する、又は溝や穴のエッジ部分を丸める処理又はテーパー処理を施すことにより、隣り合う回路パターンに対して受信する検出信号の急峻な変化を緩和して、良否判定に用いる検出信号から算出される閾値の変化を検出信号の変化に追従するように補正して誤判定を防止する。【選択図】図２
2008076187.tif 000002
【特許請求の範囲】
【請求項１】
搬送機構及び／又は吸着機能を備え、一方の面に複数列の回路パターンが形成された検査基板を載置するステージと、
前記検査基板が前記ステージに載置された状態で、前記回路パターンにセンサ電極対を対向させて検査信号を印加し且つ検出信号を受信する検査部と、
前記検査部からの検出信号に基づき欠陥判定処理を行う制御処理部と、を具備し、
さらに、前記ステージは、前記ステージの前記検査基板を載置する基板載置面に前記搬送機構及び／又は前記吸着機能を配設するための窪み部分を有し、前記窪み部分により前記回路パターン形成位置の前記検査基板裏面が基板載置面と非密着となる面積が、前記複数列の回路パターンに対して略同じ面積となるように形成されることを特徴とする回路パターン検査装置。
【請求項２】
前記センサ電極対の少なくとも一方は、非接触であることを特徴とする請求項１に記載の回路パターン検査装置。
【請求項３】
搬送機構及び吸着機能を備え、搬送された絶縁性を有する平坦な検査基板を載置するステージと、
前記ステージに載置された前記検査基板上に形成された複数列の回路パターンの両端に対して間隔を空けて、センサ電極対を対向させて検査信号を非接触で印加し且つ非接触で検出信号を受信する検査部と、
前記検査部からの検出信号に基づき欠陥判定処理を行う制御処理部と、
を具備し、さらに、
前記ステージの前記検査基板を載置する基板載置面には、前記搬送機構及び前記吸着機能を配設するために用いられ、前記検査基板における前記回路パターン形成位置と対向する裏面に対して、非密着となる面積を前記複数列の回路パターンに対して略同じ面積となるように形成される窪み部分を有することを特徴とする回路パターン検査装置。
【請求項４】
搬送機構及び吸着機能を備え、搬送された絶縁性を有する平坦な検査基板を載置するステージと、
前記ステージに載置された前記検査基板上に形成された複数列の回路パターンの両端に対して間隔を空けて、センサ電極対を対向させて検査信号を非接触又は接触で印加し且つ非接触で検出信号を受信する検査部と、
前記検査部からの検出信号に基づき欠陥判定処理を行う制御処理部と、
を具備し、さらに、
前記ステージの前記検査基板を載置する基板載置面には、内部に前記搬送機構及び前記吸着機能を含む部材が配設され、前記センサ電極対に対する前記回路パターン及び前記ステージ間の容量結合の値を略同じにする前記検査基板と非密着となる窪み部分を有することを特徴とする回路パターン検査装置。
【請求項５】
前記ステージの基板載置面に形成される前記窪み部分は、
複数の短尺な溝が直線状に連結された溝をストライプ状に並列してなり、
直線状に形成された前記回路パターンの複数列に渡り交差することを特徴とする前記３項又は４項に記載の回路パターン検査装置。
【請求項６】
前記ステージの基板載置面に形成される前記窪み部分は、
２つの短尺な溝が交差して成る複数のＸ字溝が、交互に列を成すように直線状に複数配列され、前記Ｘ字溝による前記列が直線状に形成された前記回路パターンの複数列に渡り交差することを特徴とする前記３項又は４項に記載の回路パターン検査装置。
【請求項７】
前記Ｘ字溝は、４つの辺部と矩形の中央部とで構成され、１つの内角を挟む２つの前記辺部が前記回路パターンに対して同じ角度で交差し、
前記辺部の溝幅と前記中央部の矩形は、前記回路パターンが前記２つの辺部と対向する面積と、該回路パターンが該中央部の矩形と対向する面積とが等しくなるように設定することを特徴とする前記６項に記載の回路パターン検査装置。
【請求項８】
前記ステージの基板載置面に形成される前記窪み部分は、
複数の短尺な溝が、複数列で破線状に交互違いに配置され、直線状に形成された前記回路パターンの複数列に渡り、交差することを特徴とする前記３項又は４項に記載の回路パターン検査装置。
【請求項９】
前記短尺な溝の長手方向の両端の各角部が丸められた円形状又は、該各角部が尖形状を成すことを特徴とする前記３項又は４項に記載の回路パターン検査装置。
【請求項１０】
前記ステージの基板載置面に形成される前記窪み部分は、
複数の短尺な溝が、複数列で千鳥状に交互に配置され、
直線状に形成された前記回路パターンの複数列に渡り交差することを特徴とする前記３項又は４項に記載の回路パターン検査装置。
【請求項１１】
前記窪み部分を形成するネジ止め用の穴は、全周に渡るエッジ部分が丸める処理又はテーパー処理により除去され、角曲面又はテーパー面のいずれかが形成されることを特徴とする前記６項又は７項又は９項のいずれか１つに記載の回路パターン検査装置。
【請求項１２】
搬送機構及び吸着機能を備え、搬送された絶縁性を有する平坦な検査基板を載置するステージと、
前記ステージに載置された前記検査基板上に形成された複数列の回路パターンの両端に対して間隔をあけてセンサ電極対を対向させて、該センサ電極対に対して該回路パターンと電気的に容量結合し、検査信号を非接触で印加し且つ非接触で検出信号を受信する検査部と、
前記検査部からの検出信号に基づき欠陥判定処理を行う制御処理部と、
を具備し、さらに、
前記ステージの前記検査基板を載置する基板載置面には、内部に前記搬送機構及び前記吸着機能を含む部材が配設され、隣り合う前記回路パターン間の前記容量結合値の変化の度合いを緩慢にする、それぞれエッジ部分が曲面又はテーパー面に形成される窪み部分が形成されることを特徴とする回路パターン検査装置。
【請求項１３】
前記窪み部分の中には、前記検査基板をステージの基板載置面に載置させる昇降可能なリフトピン、前記基板載置面上に載置された検査基板を吸着するための吸気口、基板搬送のための昇降する搬送ローラ及びネジ止め用の穴が設けられていることを特徴とする前記３項又は４項又は１２項に記載の回路パターン検査装置。
【請求項１４】
前記検査部のセンサ電極対は、前記検査信号を前記回路パターンに印加する送信センサ電極と、前記回路パターンを通過した前記検査信号を受信する受信センサ電極とで構成され、
前記回路パターンの一方又は両端に電気的に接続するための短絡パターンが形成される検査基板に対して、
前記送信センサ電極が前記短絡パターンに固定接触して検査信号を印加し、前記受信センサ電極が非接触で回路パターン上を通過しつつ検査信号を受信する第１の形態、又は、前記受信センサ電極が前記短絡パターンに固定接触し、前記送信センサ電極が非接触で回路パターン上を通過しつつ、検査信号を印加する第２の形態のうち、
前記第１の形態又は、第２の形態のうちいずれかを用いることを特徴とする前記３項に記載の回路パターン検査装置。
【発明の詳細な説明】
【技術分野】
【０００１】
本発明は、絶縁性を有する例えば、ガラス基板上に形成された回路パターンに対して良否を検査する回路パターン検査装置に関する。
【背景技術】
【０００２】
一般に、画像表示を行うための液晶表示パネルには、絶縁性を有するガラス基板上に半導体製造技術を用いて、同一面上に導電体からなる複数の配線が平行に配列される回路パターン（走査線又はデータ線からなるバスライン等）が形成されている。製造工程として、基板上に形成された回路パターンにおける断線や短絡を検査するパターン検査工程が含まれている。
【０００３】
一般的には、検査装置のステージに載置した基板上に形成された回路パターンの両端にそれぞれプローブを押し当て、一端に検査信号を印加し、他端から検出された電流値や信号波形により、断線や短絡の有無を検出している。このパターン検査方法は、尖端形状を成す金属プローブを回路パターンに直接的に接触させるピンコンタクト方式が主流である。この方式は、金属プローブを回路パターンに接触させているため、回路パターンに少なからず傷などの損傷を与えている。
【０００４】
このプローブ接触時に発生する回路パターンへの損傷を回避するものとして、例えば特許文献１には、非接触方式の回路パターン検査装置が開示されている。
【０００５】
この回路パターン検査装置は、非接触の２つの検査用センサ電極を有している。これらの検査用センサ電極を回路パターンの両端にそれぞれ所定間隔を空けて対向するように近接して配置する。このような配置により、それぞれの検査用センサ電極は、回路パターンと電気的に容量結合された状態となる。この状態で一端の検査用センサ電極に検査信号を印加し、他端の検査用センサ電極から検出信号を検出して、得られた検出信号から回路パターンにおける断線や短絡を判断している。
【０００６】
具体的には、この回路パターン検査装置における検出回路の電気的な構成は、図９に示すような等価回路となる。ここで、キャパシタＣ１，Ｃ２は、回路パターンの一端に検査信号の印加（送信）を行う送信センサ電極及び、回路パターンの他端から検出信号を受信する受信センサ電極と、それぞれ空間（大気）を挟んで対向する回路パターンとの間に生じる容量成分である。これらのキャパシタＣ１，Ｃ２は、１００ｆＦ（但し、ｆ：femto １０−１５とする）程度の微小な容量値である。また、抵抗値Ｒ１は回路パターンの抵抗成分であり、抵抗値Ｒ２は検出回路の内部抵抗分である。回路パターンは、絶縁体であるガラス基板を介して接地電位となっている検査用ステージと対向することとなる。このため、絶縁体（ガラス基板）を回路パターン及びステージ（金属）で両側から挟んだ容量結合構成となり、キャパシタＣ３，Ｃ４が生じる。つまり、キャパシタＣ３，Ｃ４は、絶縁性を有する基板の厚さを挟んで対向する回路パターンと接地電位の検査用ステージ（金属）の容量結合における容量成分である。これらのキャパシタＣ３，Ｃ４は、１０ｐＦ（但し、ｐ：pico １０−１２とする）程度の容量を有していると想定する。電源Ｅは、検査信号を生成して送信センサ電極に印加する。
【０００７】
図１０に示すように、回路パターン７９上では検出信号が得られるが、回路パターンが形成されていない基板７８上では検出信号が理想的には、略０になる。検査信号は、容量結合する受信センサ電極（キャパシタＣ２）を通じて検出していた信号の微細な電流変化として受け取る。この受信センサ電極に接続する検査部は、内部抵抗値Ｒ２により検出信号を電圧信号の変化として検出する。
【０００８】
さらに、回路パターン検査装置においては、検出信号に対して例えば、検出信号の所定期間の変動に対して最小二乗法を用いて、図１１に示すような判断基準に用いるための上限閾値及び下限閾値（共に、例えば｜０．５｜Ｖ程度）を演算処理により求めて設定している。これらの閾値と検出信号の変化を比較して、回路パターンの断線や短絡の有無が判断される。ここでは、検出信号が上限閾値を越える（上回る）箇所及び下限閾値を越える（下回る）箇所があり、これらの信号の位置に対応する回路パターンに欠陥を生じていると判断される。
【特許文献１】特開２００４−１９１３８１公報
【発明の開示】
【発明が解決しようとする課題】
【０００９】
前述した非接触方式の回路パターン検査装置は、検査対象となる基板を接地電位（ＧＮＤ）の検査用ステージ上に載置固定した状態で検査を実施している。検査用ステージの間に生じるキャパシタＣ３，Ｃ４の容量値と比較して、直接的に検出信号に関わる回路パターンとセンサ電極との間に生じるキャパシタＣ１，Ｃ２の容量値は極めて小さな数値であり、検出される検出信号の変化も極めて小さい値となっている。
【００１０】
前述したように、検出信号に対する上限閾値及び下限閾値によりパターンの良否判定を行っている。実際に検出される検出信号は、ガラス基板の歪みや載置状態等の外的要因の影響により、図１１に示すようなうねりを有している。また、キャパシタＣ３，Ｃ４の容量の変化は、検出信号の値に大きな影響を与えており、急峻な容量変化が生じると、直接的に検出信号の変化として検出される。通常、検査用ステージ７１は、載置面７１ａが全面に亘って平坦であるというものではなく、図１２に示すように、リフトピン７２のための孔７３や基板吸着のための吸気口７４、＋型吸着溝７５、基板搬送のための昇降する搬送ローラが配設される溝７６及びネジ止め用の穴等が設けられている。
【００１１】
これらの溝や穴等による窪み部分は、例えば、図１３（ｂ）に示すように、載置された基板裏面（非検査面）７８ａが載置面７１ａと密着した状態であっても、基板裏面７８ａとは接しない空間８０を発生させる。従って、キャパシタＣ３，Ｃ４において、回路パターン７９が基板７８とこの空間８０を含んでステージ７１と対向したときのキャパシタと、前述したように回路パターン７９が基板７８を挟んでステージ７１の載置面に密着している状態のキャパシタとは、大きく容量が異なってくる。
【００１２】
このキャパシタの変化が検出信号に大きく影響を与える。例えば、図１３（ａ）に示すように、窪み部分に掛かった回路パターン７９ａの検出信号は、ステージ７１と密着している回路パターン７９ｂの検出信号に対して急峻な変化が生じる。これは、コンデンサ（容量結合）において電極間距離が離れてキャパシタが小さくなることと同様である。つまり、空間８０により回路パターン７９からステージ７１側に漏れ出る検査信号（電流）が少なくなるため、受信センサ電極に生じる検出信号の電流値が大きくなり、結果、検出部で検出される検査信号も大きくなる。これにより、図１３（ａ）に示すように、単なる検出信号の変化であっても上限閾値よりも検査信号値が上回る事態が発生し、結果、欠陥として検出される。
【００１３】
実際の窪み部分として、図１３（ｂ）及び図１４に示す＋型吸着溝７５を一例として説明する。前述したように、載置された基板７８の裏面（非検査面）７８ａがステージ載置面７１ａと密着した状態であっても、＋型吸着溝７５と基板７８とは接しない空間８０が生じている。
【００１４】
特に図１４に示すように、回路パターン７９と＋型吸着溝７５の長手方向に溝が重なった回路パターン７９ａは、他の回路パターンに比べてキャパシタＣ３，Ｃ４の容量値に急峻な変化が生じる。このため、図１３（ａ）に示すように、常時更新している最小二乗法により求めた閾値を越える事態が生じる。これを回路パターンにおける断線又は短絡と判断した場合には、誤検出となる。
【００１５】
そこで本発明は、検査対象物が載置される載置面に設けられた構成部位による検出用信号の急峻な変化を緩和させて、パターン検査について正しい良否判定を実現する回路パターン検査装置を提供することを目的とする。
【課題を解決するための手段】
【００１６】
本発明は上記目的を達成するために、搬送機構及び／又は吸着機能を備え、一方の面に複数列の回路パターンが形成された検査基板を載置するステージと、前記検査基板が前記ステージに載置された状態で、前記回路パターンにセンサ電極対を対向させて検査信号を印加し且つ検出信号を受信する検査部と、前記検査部からの検出信号に基づき欠陥判定処理を行う制御処理部と、を具備し、さらに、前記ステージは、前記ステージの前記検査基板を載置する基板載置面に前記搬送機構及び／又は前記吸着機能を配設するための窪み部分を有し、前記窪み部分により前記回路パターン形成位置の前記検査基板裏面が基板載置面と非密着となる面積が、前記複数列の回路パターンに対して略同じ面積となるように形成される回路パターン検査装置を提供する。また、前記回路パターン検査装置における前記センサ電極対の少なくとも一方は、非接触である。
【発明の効果】
【００１７】
本発明によれば、検査対象物が載置される載置面に設けられる構成部位による穴又は溝等による検出用信号の急峻な変化を緩和させて、パターン検査について正しい良否判定を実現する回路パターン検査装置を提供することができる。
【発明を実施するための最良の形態】
【００１８】
以下、図面を参照して本発明の実施形態について詳細に説明する。  
図１は、本発明に係る回路パターン検査装置の概念的な構成例を示す図である。  
この回路パターン検査装置は、検査時に検査対象部位に検査プローブとなるセンサ電極を接触せずに検査を実施する非接触タイプである。
【００１９】
回路パターン検査装置は、少なくとも、検査対象となる表示パネル用ガラス基板（以下、検査基板と称する）１を載置するステージ２と、ステージ２に載置された検査基板１上に形成された回路パターンである回路パターン３の断線や短絡による欠陥を検査する検査部４と、検査部４を駆動して回路パターン３に対する検査を実施する検査駆動部５と、検査基板１をステージ２上に載置及び搬入搬出を行う搬送部６と、装置全体の制御及び検査部４からの検出信号に基づき欠陥判定処理を行う制御処理部７と、操作者の指示等を入力するキーボードやタッチパネル等からなる入力部８と、検査結果や種々の情報を表示する表示部９とを備えている。また、ステージ２には、検査基板１を吸着固定させるための吸引ポンプを含む吸着機構１０を備えている。尚、検査部４、検査駆動部５及び、欠陥判定処理を行う制御処理部７により欠陥検出部が構成される。
【００２０】
本実施形態における検査基板１上には、直線且つ平行で等間隔に配列された回路パターン例えば、バスライン（走査線又はデータ線）となる回路パターン３が形成されているものとする。これらの回路パターン３の両側を開放端とする。また、本実施形態では、説明を容易にするため、それぞれの開放端に検査用パッド３ａ，３ｂが設けている。勿論、これは一例であり限定されるものではなく、例えば、回路パターン３は、直線的な配線である必要はなく、両端を開放端としているが保護のためにそれぞれの一方の端部を短絡させている構成であっても同様に良否判定の検査を実施できる。尚、回路パターン３の両側は、必ずしも開放端ではなく、製品保護のため、各端部を電気的に接続するためのパターンが設けられている場合もあるが、本実施形態は実用可能であることが確認されている。
【００２１】
検査部４には、これらの検査用パッド３ａ，３ｂと所定間隔（ギャップ）を空けて対向するための一対のセンサ電極（送信センサ電極１１ａ及び受信センサ電極１１ｂ）１１が配置されている。図１においては、これらの検査用パッド３ａ，３ｂは、センサ電極１１が移動しやすいように、検査基板１上でそれぞれ直線的に配列されている形態を示している。基本的には、一対のセンサ電極１１が一対の検査用パッド３ａ，３ｂに対向できるように移動すればよく、それぞれの配置は限定されない。例えば、センサ電極１１が２次元的に移動可能な構成であればよい。
【００２２】
このように構成された回路パターン検査装置による検査について説明する。  
まず、検査作業者による入力部８からの検査条件等の入力設定及び装置の初期設定が行われる。その後、検査対象となる回路パターン３の形成された検査基板１が搬送部６により不図示の搬送経路上を搬送されて、回路パターン検査装置のステージ２上の所定位置に載置される。載置された後、検査基板１は、吸着機構１０により吸着固定される。
【００２３】
次に、検査における初期位置合わせを行う。即ち、センサ電極１１を最初の検査用パッド３ａ，３ｂと、例えば１００μｍ〜２００μｍ範囲内の最適とされるギャップを空けて対向する位置に移動設定する。尚、このギャップの距離は、設計仕様に基づくものであり、この範囲外でも適宜最適な距離が選択される。
【００２４】
また本実施形態では、ギャップ内に大気を介在させているが絶縁膜を介在させてもよい。つまり、検査用パッド３ａ，３ｂ上に絶縁体による被膜を形成して、センサ電極１１をその絶縁被膜に当接した状態で検査を行うこともできる。絶縁被膜は、保護膜としても機能するが、検査信号の減衰が生じる場合には、検査判定に影響を与えないか否かを検討して適用することが好ましい。
【００２５】
次に、センサ電極１１における送信センサ電極１１ａから検査用パッド３ａに検査信号を印加する。この検査信号は、例えば２００ＫＨｚ−２００Ｖの正弦波形の信号を用いる。勿論、印加する検査信号は、正弦波だけでなく、パルス波であってもよい。この検査信号は容量結合された検査用パッド３ａに印加されて、回路パターン３を通過し、検査用パッド３ｂに容量結合する受信センサ電極１１ｂから検出信号として取り出されて検査部４に入力する。
【００２６】
検査部４は、受信センサ電極１１ｂからの検出信号に対して、必要レベルまで増幅し、且つバンドパスフィルタを通過させて雑音成分を除去する。さらに、フィルタ通過した検出信号を全波整流して平滑処理を施す。このように信号処理された検出信号は、制御処理部７に出力される。  
制御処理部７では、検査部４から入力した検出信号をＡ／Ｄ変換してデジタル信号化する。このデジタル化された検出信号に対して、図１１に示したような予め定められた判定基準に基づき、良好又は不良（短絡又は断線）の判定を行う。  
後述する図２に示すように、本実施形態のステージ２の載置面においても、複数の溝２３が形成され、任意の溝２３の内には、基板を搬送するために利用するリフトピン２４、基板吸着のための吸気口２５、基板搬送のための昇降可能な搬送ローラ２６及びネジ止め用の穴２７等が設けられている。
【００２７】
これらの溝２３においても基板との空間が生じて、容量結合値であるキャパシタが変化する。従って、本発明においても、密着する面積の差の急激な変化を減少させる又は、回路パターン３とステージにおける容量結合値の急峻な変化を緩慢化させることにより、隣り合う回路パターン間における受信センサ電極１１ｂから検出される検出信号の急峻な変化を防止して、良否の誤判定を防止する。
【００２８】
第１の実施形態に係る回路パターン検査装置のステージ載置面における構成例について説明する。図２(ａ)は、第１の実施形態に係るステージ載置面の構成を示し、図２(ｂ)はステージの断面構成を示す図である。本実施形態は、回路パターンの各配線において、ステージに対する容量結合における容量差をほぼ無くし又は少なくすることにより、検出信号の急峻な変化を緩和することを提供する構成例である。
【００２９】
この第１の実施形態において、ステージ２の載置面２１には、回路パターン３の長手方向と交差する方向でストライプ状に配置される複数の溝列２２が形成される。これらの溝列２２は、それぞれに複数の短尺な溝（２３ａ〜２３ｍ）２３が直線的に配列されている。これらの短尺な溝２３うちの任意なものに、例えば、昇降するリフトピン２４又は吸気口２５が設けられている。
【００３０】
吸気口２５が設けられた短尺な溝２３は、従来と同じ吸着用溝として機能する。またリフトピン２４は、搬送部６のアーム機構等から検査基板１を受け取る際に、上昇して基板裏面に当接して支持し、アーム機構等（図示せず）が退避した後、降下によりステージ載置面上に検査基板１を載置し、さらに下降して、ステージ載置面と同じ又は、ステージ載置面より下方となるように退避する。吸気口２５は、図示しない吸気ポンプに連結され、基板検査が終了するまで検査基板１を吸着してステージ２上に固定する。
【００３１】
この実施形態において、図２(ａ)においては、平行に配列されている回路パターン３と各溝列２２とが直交する構成を示しているが、勿論これに限定されるものではなく、１本の回路パターン３に対して、それぞれ同じ数の溝列２２が交差すれば、どのような角度で交差してもよい。つまり各回路パターン３と対向する溝列２２の面積が略等しくなればよい。尚、溝列２２において、図２（ｂ）に示すように、短尺な溝２３と短尺な溝２３の境部分（ステージ載置面と検査基板裏面が密着する部分）２９は、各列間で徐々にずれるように配置して、１本の回路パターンに重なり部分が集中して対向しないように配置する必要がある。
【００３２】
また、本実施形態ではステージ上における検査基板の受け渡しをリフトピンで行う構成であったが、これに限定されない。例えば、気体の吹き出し口を設けて、検査基板１を浮上させて受け取りを行い、吸気口２５の吸気によりステージ上に吸着させる構成であってもよい。本実施形態における短尺な溝の中には、リフトピン２４や基板吸着のための吸気口２５、基板搬送のための昇降する搬送ローラ２６及びネジ止め用の穴２７等が設けられている。
【００３３】
以上説明したように本実施形態によれば、検査基板を吸着固定するステージの載置面に形成するストライプ配列された複数の溝（窪み部分）を回路パターンと交差するように形成する。この構成により、ステージに非密着な面積が各回路パターンにおいて略等しくすることができ、結果、各回路パターンからステージ側に漏れ出る電流が略等しくなる。
【００３４】
これにより検査対象の回路パターンを移動させた際に、センサ電極から検出される検出信号の変動を抑制して、回路パターンに対する良否の誤判定を防止することができる。尚、前述したステージ上の窪み部分による検出信号の変動は全く無くすことが好ましいが、良否判定するための判定値に対して誤判定を招かない範囲内であれば、多少の変動があっても問題はない。
【００３５】
また、回路パターンの間隔（ピッチ）が狭い場合には、非接触による検査信号の印加は、検査対象の回路パターンに隣接する回路パターンにも与えられるクロストークが発生する場合があるが、センサ電極の大きさや印加電圧を調整することにより、クロストークによる誤判定を防止することができる。
【００３６】
次に第２の実施形態について説明する。  
図３は、第２の実施形態に係るステージ載置面における基板吸着用Ｘ字溝を形成した構成例を示す図である。  
この第２の実施形態においても前述した第１の実施形態と同様に、回路パターンの各配線において、ステージに対する容量結合における容量差を少なくすることにより、検出信号の急峻な変化を無くすことを提供する構成例である。
【００３７】
本実施形態における窪み部分は、前述した短尺な溝の２つを「Ｘ」に交差させたＸ字溝３１として形成する。このＸ字溝３１は、４つの辺部３２ａと正方形の中央部３２ｂとで構成される。
【００３８】
このＸ字溝３１は、２つの辺部３２ａが回路パターン３と同じ角度θで交差するように形成される。辺部３２ａの溝長は、設計仕様に基づき限定されない。また、辺部３２ａの溝幅と中央部３２ｂは、例えば、その回路パターン３ａが２つの辺部３２ａと対向する面積ｍ（斜線部分）と回路パターン３ｂが中央部３２ｂと対向する面積ｎ（斜線部分）とが等しくなるように、溝幅及び中央部３２ｂの幅を設定する。このような設定により、１つの回路パターン３が辺部３２ａと対向し、１つの回路パターン３が中央部３２ｂと対向した場合であっても同じ非密着面積となり、電流の漏れる量が等しくなる。
【００３９】
本実実施形態では、複数のＸ字溝３１が交互に２列に配置した例を示している。  
この２列の配置例を１ユニットとして、図３に示すように、ステージの載置面の大きさや昇降可能な搬送ローラ数、昇降可能なリフトピン数及び吸気口数に応じて、ユニット単位で配置すればよい。本実施形態では、２列としたがこれに限定されず、３列又はそれ以上であってもよく、基本的には、各回路パターン３に対向するＸ字溝数（対向面積）が等しければよい。
【００４０】
また、図３に示す配置においては、Ｘ字溝３１ｂと隣接するＸ字溝３１ｃの各２つの辺部３２ａが回路パターン３の長手方向において、重なり部分（斜線部分）を持ち、それらが回路パターン３と対向する部分の合計の面積ｐが前述した面積ｍ又は面積ｎと略等しくなる位置に配置する。  
またＸ字溝３１内に気体の吹き出し口を設けて、検査基板１を浮上させてステージ上を移動可能に構成してもよい。尚、本実施形態におけるＸ字溝は、その長手方向と回路パターン３の長手方向とが交差するように傾きを持って配置されるものであり、課題の項で説明した従来の＋字溝を含んでいない。つまり、検査信号の変動を抑制するためには、回路パターン３の長手方向と、窪み部分の溝の長手方向が重ならないように配置されなければならない。
【００４１】
以上説明したように本実施形態によれば、Ｘ字溝の一部どうしが重なりを持つように列配置して、載置された検査基板の回路パターンとは交差するように形成する。この構成により、ステージに非密着な面積を各回路パターンにおいて略等しくすることができる。従って、それぞれの回路パターンからステージ側に漏れ出る電流を略等しくさせることができる。その結果、センサ電極から検出される検出信号の変動を抑制して、回路パターンに対する良否の誤判定を防止することができる。また、Ｘ字溝の各辺部に気体吹き出し口を受けることにより、検査基板がステージに載置された際に位置ずれがあっても気体吹き出し量を調整することで位置補正を行いつつ載置して吸着固定することができる。
【００４２】
本実施形態のＸ字溝は、従来の課題とした十字溝に対して、回路パターンと平行となる長い部分（辺）が無いため、急峻なキャパシタの変化が生じず、単なる外部状況による検出信号の変化が上限及び下限の閾値を越えることがなく、誤判定を招くことが無くなる。
【００４３】
また、図３に示したＸ字溝３１は、４つの辺部３２ａと正方形の中央部３２ｂとで構成されているが、必ずしも中央部３２ｂが正方形である必要はなく、図４の変形例に示すように、正方形の各辺が丸められた凹曲線の形状であってもよい。この曲がり加減は、４つの辺部３２ａと略面積が同じ、又は急峻な増減の変化が無ければよい。またこの凹部分は尖ったエッジ形状（２直線が交差して角度を持つ形状）ではなく、丸められた形状がよい。
【００４４】
次に第３の実施形態について説明する。  
図５（ａ）は、第３の実施形態に係るステージ載置面に形成する短尺な溝を交互に配置した構成例を示す図である。この第３の実施形態においても前述した第１の実施形態と同様に、回路パターンの各配線において、ステージに対する容量結合における容量差を少なくすることにより、検出信号の急峻な変化を緩和することを提供する構成例である。
【００４５】
本実施形態は、前述した第１の実施形態における短尺な溝２３を用いて、２列で破線状に交互に配置した破線状配置４１の構成である。この構成において、短尺な溝２３の端部と隣の列の近接する短尺な溝２３の端部とが回路パターン方向に対して繋がりを持つように配置される。この繋がり部分は、回路パターン３と対向した際に、例えば図５（ａ）に示すように、短尺な溝２３ａと隣の列の近接する短尺な溝２３ｂの各端部における斜線部分の合計面積ｒが他の対向する部分の面積ｇと略等しくなるように配置する。また、多少であれば重なりを持ってもよい。本実施形態では、矩形の溝を尚、この破線状配置４１は、ステージの載置面の大きさや必要なリフトピン数や吸気口数に応じて、複数列を配置すればよい。  
本実施形態では、短尺な溝２３を２列一組に構成した例で説明したが、これに限定されるものではなく、３列及びそれ以上の列を一組とした破線状配置に構成してもよい。また、本実施形態では、矩形の短尺な溝２３を例としているが、図５（ｂ）に示すように、各角部を丸めて両端に円を有する形状（トラック形状）でもよいし、図５（ｃ）に示すように、両端に尖形、例えば三角を有する形状であってもよい。
【００４６】
以上説明したように本実施形態によれば、第１の実施形態と同等の効果を得ることができる。この第３の実施形態では、ステージに非密着な面積が各回路パターンにおいて略等しくすることができ、結果、各回路パターンからステージ側に漏れ出る電流が略等しくなる。これにより検査対象の回路パターンを移動させた際に、センサ電極から検出される検出信号の変動を抑制して、回路パターンに対する良否の誤判定を防止することができる。
【００４７】
次に第４の実施形態について説明する。  
図６は、第４の実施形態に係るステージ載置面に形成した短尺な溝の千鳥配置５１に構成した例を示す図である。この第４の実施形態においても前述した第１の実施形態と同様に、回路パターンの各配線において、ステージに対する容量結合における容量差を少なくすることにより、検出信号の急峻な変化を無くすことを提供する構成例である。  
本実施形態は、前述した第３の実施形態における図５（ｂ）に示した両端に円を有する形状の破線状に配置された短尺な溝５２を用いて、千鳥配置５１に構成している。この構成においても、前述した第３の実施形態と同様に、短尺な溝５２ａの後端部と隣の列の近接する短尺な溝５２ｂの先端部とが回路パターンの長手方向で繋がりを持つように配置される。
【００４８】
この繋がり部分は、回路パターン３と対向した際に、短尺な溝５２ａと隣の列の近接する短尺な溝５２ｂの各端部における斜線部分の合計面積ｓが他の対向する部分の面積ｔと略等しくなるように配置する。尚、この千鳥配置５１は、ステージの載置面の大きさや必要なリフトピン数や吸気口数に応じて、複数列を配置すればよい。
【００４９】
以上説明したように本実施形態によれば、第３の実施形態と同等の効果を得ることができる。この第４の実施形態では、ステージに非密着な面積が各回路パターンにおいて略等しくすることができ、結果、各回路パターンからステージ側に漏れ出る電流が略等しくなる。これにより検査対象の回路パターンを移動させた際に、センサ電極から検出される検出信号の変動を抑制して、回路パターンに対する良否の誤判定を防止することができる。
【００５０】
次に第５の実施形態について説明する。  
前述したステージ載置面上に設けられる溝は、ステージ載置面に対して角部（エッジ部分）を有して垂直に溝壁面が形成されているため、回路パターンが溝に掛かると基板底面に対して密着状態から溝底面までの距離分が急に増加して、キャパシタの容量が急激に変化する。これにより、検出された検査信号においても、信号値（波形）が急峻に変化し、回路パターンに対する良否の誤判定を招いている。そこで本実施形態は、ステージ上に形成された溝壁面部分を変形して、溝のエッジ部分による検出信号の急峻な変化を防止する構成である。
【００５１】
図７（ａ）乃至（ｃ）は、第５の実施形態に係るステージ載置面に形成したネジ等のための円形穴における形成例を示す図である。  
本実施形態では、ネジ穴を例として説明する。  
実際に装置構築した場合には、ステージを組み付ける際にネジ止めする箇所も存在する。
【００５２】
ネジを用いた構造の場合には、図７(ａ)に示すように、ネジ６１のネジ頭部６２が検査基板１に接触しないように、ある程度の深さに余裕を持たせたザグリとなる穴２８を形成している。この穴２８は、ネジ頭部６２の形状にもよるが載置面から垂直に開口されている。課題として前述したように、この穴２８のエッジ部分２８ａにおいても、受信した検出信号を大きく変化させて誤判定を引き起こす可能性がある。
【００５３】
そこで本実施形態では、図７(ｂ)に示すように、ネジ頭部６２までのエッジ部分２８ａを丸め処理を行い、角曲面６４を形成する。または、図７(ｃ)に示すようにネジ頭部６２までのエッジ部分２８ａの面取り（テーパー処理）を行い、テーパー６５を形成する。尚、ここでは、ネジ穴を例として説明したが勿論、ネジに限定されるものではなく、気体の吹き出し口、リフトピンの孔、その他にも適用することができる。また、丸める度合いや面取り角度は、穴径の大きさにより、好適する角度を経験的又は実験により見いだして適用すればよい。
【００５４】
以上のように本実施形態によれば、ネジ止め等でステージ載置面に形成された溝を利用できない場合に、溝のエッジ部分を無くすことにより、検出信号の急峻な変化を緩和させることにより、判断値の補正変化に追従させて、誤判定を防止することができる。また、この丸める処理及びテーパー処理は、円形の穴に限定されるものではなく、穴形状が矩形、楕円又は三角形であっても同様に適用して、検出信号の急峻な変化を緩和させることができる。
【００５５】
次に、第６の実施形態について説明する。  
前述した第１乃至第４の実施形態における溝は、ステージ載置面に均等に溝による空間の面積が回路パターンに対して、略同じ面積となるように分布させて配置している。
【００５６】
しかし、装置を作成する際には、回路パターンの長手方向に複数を配することはできない場合もある。また、検出信号に対する上限閾値及び下限閾値は、前述したように、所定期間の変動に対して最小二乗法を用いて算出しているため、検出信号値（波形）の急峻な変化でなければ、検査信号のうねり（基準値の変化）に追従している。そこで、本実施形態では、前述した第５の実施形態における丸め処理及びテーパー処理を溝に適用することにより、受信センサ電極が受信する検出信号の急峻な変化を緩和させる。
【００５７】
図８（ａ）は、溝２３のエッジ部分を全周に渡って丸める処理及びテーパー処理を行った構成例を上方向から見た図であり、図８（ｂ）は、前記溝２３のＡ−Ａ方向における断面構成を示す図である。
【００５８】
この例では、ステージ載置面とテーパー７２とのエッジ部分とテーパー７２と溝底面７３とのエッジ部分には、丸める処理を行っている。この溝２３のテーパー角は、実際にデータを取って経験的に設定することが望ましい。これらの丸め処理やテーパー処理は、前述した第１乃至第４の実施形態における任意の長さを有する短尺な溝２３やＸ字溝３１等に対して適用する。
【００５９】
また、必ずしも溝全周に渡ってテーパーを設ける必要はなく、図８（ｂ）に示すように、溝２３において、図５（ｂ）に示したような両端に円を有する形状の溝の円形部分に対してテーパー７２を設けてもよい。
【００６０】
本実施形態によれば、溝のエッジに対して丸め処理又はテーパー処理を施すことにより必ずしも全部の回路パターンに対して同じ空間を設けるように溝を設ける必要はなく、必要なステージ載置面の箇所に適宜溝を設けることもできる。
【００６１】
また、溝に掛かった回路パターンにおいては、溝に掛かっていない回路パターンが隣であっても、急峻な検出信号の変化が無く、上限閾値及び加減閾値が追従するため、ステージ載置面に対する回路パターンの空間が均一的になるように溝を形成しなくとも誤判定を防止することができる。
【００６２】
前述した第１乃至第６の実施形態では、液晶表示パネルのガラス基板に形成された直線的な回路パターンを例として説明した。しかし検査対象が他の電子部品であって、回路パターンが直線のみで形成されず角部分や曲線部分等を含んでいた場合には、その各導体パターンのステージとの非密着な部分の面積や結合容量が導体パターンどうしで略同じになるように、溝形成をすればよい。また、非密着な部分の面積や結合容量が略同じにできない場合には、第５または第６の実施形態を適用して、溝のエッジ部分を丸める処理又はテーパー処理を用いて検出信号の変化を緩慢化させて、上限及び下限閾値の補正を追従可能にして本発明の効果を奏するように実現してもよい。
【００６３】
尚、前述した第１乃至第６の実施形態における窪み部分又は溝の中には、検査基板をステージの基板載置面に載置させる昇降可能なリフトピン、基板載置面上に載置された検査基板を吸着するための吸気口、基板搬送のための昇降する搬送ローラ及びネジが設けられている。  
また、本実施形態では、送信センサ電極１１ａと受信センサ電極１１ｂが共に回路パターンの端部（検査用パッド３ａ，３ｂ）に対して非接触で移動しつつ、検査を行う例について説明したが、センサ電極の何れか一方が固定で接触し、他方が移動して検査を行うことも可能である。例えば、回路パターンの一方又は両端に電気的に接続するための短絡パターンが形成されている検査基板に対しては、送信センサ電極１１ａが、その短絡パターンに固定接触して検査信号を印加し、受信センサ電極１１ｂは、非接触で回路パターン上を通過しつつ、検査信号を受信する形態でもよい。反対に、受信センサ電極１１ｂをその短絡パターンに固定接触させ、送信センサ電極１１ａは、非接触で回路パターン上を通過しつつ、検査信号を印加する形態であってもよい。いずれの形態であっても回路パターンの検査を実施することができる。
【００６４】
以上説明した各実施形態対においては、説明した内容のみに限定されるものではなく、その要旨を逸脱しない範囲で各実施形態を組み合わせて実施することもでき、又はある構成を除いた状態であっても本発明の目的を達成することができる。
【図面の簡単な説明】
【００６５】
【図１】本発明に係る回路パターン検査装置の概念的な構成例を示す図である。
【図２】図２(ａ)は、第１の実施形態に係るステージ載置面の構成を示し、図２(ｂ)はステージの断面構成を示す図である。
【図３】図３は、第２の実施形態に係るステージ載置面における窪み部分としてＸ字溝を用いた構成例を示す図である。
【図４】図４は、第２の実施形態に係る構成例の変形例を示す図である。
【図５】図５（ａ）は、第３の実施形態に係るステージ載置面に形成する短尺な溝を交互に破線状に配置した構成例を示す図、図５（ｂ）及び図５（ｃ）は、短尺な溝の形状の変形例を示す図である。
【図６】図６は、第４の実施形態に係るステージ載置面に形成した短尺な溝の千鳥配置に構成した例を示す図である。
【図７】図７（ａ）乃至図７（ｃ）は、第５の実施形態に係るステージ載置面に形成したエッジ部を示す図である。
【図８】図８（ａ）乃至図８（ｃ）は、第４の実施形態に係るステージ載置面に形成した溝のエッジ部分に対して丸める処理又はテーパー処理を行った構成例を示す図である。
【図９】従来の回路パターン検査装置の概念的な等価回路の構成例を示す図である。
【図１０】従来の回路パターン検査装置における回路パターンと検出信号について説明するための図である。
【図１１】従来の回路パターン検査装置における検出信号と閾値について説明するための図である。
【図１２】従来の回路パターン検査装置のステージの基板載置面上に形成された溝や孔について説明するための図である。
【図１３】従来の回路パターン検査装置における検出信号の良否判定について説明するための図である。
【図１４】従来の回路パターン検査装置における回路パターンと溝について説明するための図である。
【符号の説明】
【００６６】
１…検査基板、２…ステージ、３…回路パターン、３ａ，３ｂ…検査用パッド、４…検査部、５…検査駆動部、６…搬送部、７…制御処理部、８…入力部、９…表示部、１０…吸着機構、１１…センサ電極、１１ａ…送信センサ電極、１１ｂ…受信センサ電極、２４…リフトピン、２５…孔、２６…吸気口、２７…溝、２８…ネジ止め穴。
【図１】
2008076187.tif 000003
【図２】
2008076187.tif 000004
【図３】
2008076187.tif 000005
【図４】
2008076187.tif 000006
【図５】
2008076187.tif 000007
【図６】
2008076187.tif 000008
【図７】
2008076187.tif 000009
【図８】
2008076187.tif 000010
【図９】
2008076187.tif 000011
【図１０】
2008076187.tif 000012
【図１１】
2008076187.tif 000013
【図１２】
2008076187.tif 000014
【図１３】
2008076187.tif 000015
【図１４】
2008076187.tif 000016